【事件の表示】
　特願２００４−１３０１６６「インクジェットヘッド及びその製造方法」拒絶査定不服審判事件〔平成１７年１１月　４日出願公開、特開２００５−３０５９８２〕について、次のとおり審決する。
【結　論】
　本件審判の請求は、成り立たない。
【理　由】
第１　手続の経緯・本願発明
１　本願は、平成１６年４月２６日の出願であって、平成２０年３月２８日に手続補正がなされ、同年１０月１日付けで拒絶査定がなされ、これに対して、同年１１月６日に拒絶査定不服審判が請求されたものである。
　
２　本願の請求項１に係る発明は、平成２０年３月２８日付け手続補正後の特許請求の範囲、明細書及び図面の記載からみて、その特許請求の範囲の請求項１に記載されたとおりの次のものと認める。
「複数の圧力室からノズルを経てインクを吐出させる圧電シートと、前記圧電シートの表面に前記圧力室毎に形成された電極とを含む圧電アクチュエータと、一方の面に凸部が他方の面の前記凸部に対向する位置に凹部が前記電極毎にそれぞれ形成された絶縁性のフレキシブル層と、前記凸部に沿って突出した突出部を有し前記凸部上にそれぞれ形成された導電膜とを含んでいると共に、前記突出部が前記電極に接触するように配置されたプリント基板と、前記突出部と前記電極との接触部分を取り囲んでおり、且つ、前記導電膜及び前記電極の両方と接触して両者の接触状態を保持する接着剤とを備えており、前記接着剤は、少なくとも一部の前記突出部及び前記凸部が前記電極に対して押しつぶされた状態を保持していることを特徴とするインクジェットヘッド。」（以下「本願発明」という。）
　
第２　引用刊行物の記載事項
　原査定の拒絶の理由に引用された本願の出願前に頒布された刊行物である実願平２−７５７９９号(実開平４−３３５５０号)のマイクロフィルム（以下「引用例」という。）には、次の事項が図とともに記載されている。（下線は審決で付した。以下同じ。）
　
１　「
インク流路が形成されているインクジェットプリンタヘッドと、上記インク流路と対向的に上記ヘッドに設けられている複数の圧電素子と、上記圧電素子の一方の電極面にそれぞれ接続される複数の端子を有するフレキシブルプリント基板とを具備しており、
上記端子のそれぞれには、上記電極面と接触する凸部が設けられており、
上記複数の端子は、弾性体を介して上記電極面に押圧されている
　ことを特徴とする
インクジェットプリンタ。
　
２　「
インクジェットプリンタヘッド１について説明する。
インク流路３が形成されている。
圧電素子６は、上下両面にそれぞれ電極６ａ、６ｂが形成されており、
　次に
ＦＰＣ８について説明する。
合成樹脂からなるベースフィルム９に、金属などの導電材で導電パターン１０が形成され
導電パターン１０の端部には、電極接続用の端子１０ａが設けられており、
　第２図に示すように、
圧電素子６と凸部１０ｂが当接するように、ヘッド１上にＦＰＣ８が配置され
固定部材１２により押圧されて、ヘッド１とＦＰＣ８が固定される
　そして、図示しないが導電パターン１０の他端部と、電極膜５とに電力が供給され、
圧電素子６の両電極６ａ、６ｂ
加圧室３ａ内のインク
が
インク流路３よりインクが吐出される
　このような構成であるため、固定部材１２による押圧力が小さくても
凸部１０ｂは大きな圧力で圧電素子に圧接するため、接続の信頼性が高い
　
３　第１図の記載から、複数の加圧室３ａと接続された複数のインク流路３、前記加圧室３ａ毎に形成されたシート状の圧電素子６、前記圧電素子６毎に端子１０ａ、凸部１０ｂ及び導電パターン１０が形成されることが見て取れる。
　
４　第２図の記載から、ベースフィルム９は、一方の面に凸部が他方の面の前記凸部に対向する位置に凹部が形成され、端子１０ａは、前記ベースフィルム９の凸部に沿って突出した凸部１０ｂを有し前記ベースフィルム９の凸部上に導電パターン１０が形成されていること、及び前記端子１０ａの凸部１０ｂは圧電素子６の一方の電極６ａと当接していることが見て取れる。
　
５　上記１ないし４から、引用例には、
「複数の加圧室に接続された複数のインク流路よりインクが吐出されるインクジェットプリンタヘッドと、前記加圧室毎に形成し上下両面にそれぞれ電極が形成され上記ヘッドに設けられている複数のシート状の圧電素子と、
　上記圧電素子の一方の電極面にそれぞれ接続される複数の端子を有するフレキシブルプリント基板とを具備しており、
　フレキシブルプリント基板は、合成樹脂からなるベースフィルムに、金属などの導電材で導電パターンが形成され、導電パターンの端部には、電極接続用の端子が設けられており、前記ベースフィルムは、一方の面に凸部が他方の面の前記凸部に対向する位置に凹部が圧電素子毎に形成され、前記端子は、前記ベースフィルムの凸部に沿って突出した凸部を有し前記ベースフィルムの凸部上にそれぞれ形成された導電パターンとを含んでおり、前記圧電素子の一方の電極と前記端子の凸部が当接するように、前記ヘッド上にフレキシブルプリント基板が配置されており、上記複数の端子は、固定部材により上記電極面に押圧され、前記端子の凸部は大きな圧力で圧電素子に圧接するため、接続の信頼性が高いインクジェットプリンタ。」の発明（以下「引用発明」という。）が、記載されているものと認められる。
　
第３　対比
　本願発明と引用発明とを対比する。
１　引用発明の「加圧室」、「インク流路よりインクが吐出される」、「圧電素子の一方の電極」、「圧電素子」、「『一方の面に凸部が他方の面の前記凸部に対向する位置に凹部が』『形成され』た『合成樹脂からなるベースフィルム』」、「前記ベースフィルムの凸部に沿って突出した凸部を有し」
「前記ベースフィルムの凸部上にそれぞれ形成された導電パターン」、「前記圧電素子の一方の電極と前記端子の凸部が当接する」及び「フレキシブルプリント基板」は、それぞれ、本願発明の「圧力室」、「ノズルを経てインクを吐出させる」、「電極」、「圧電アクチュエータ」、「一方の面に凸部が他方の面の前記凸部に対向する位置に凹部が形成された絶縁性のフレキシブル層」、「前記凸部に沿って突出した突出部を有し」、「前記凸部上にそれぞれ形成された導電膜」、「前記突出部が前記電極に接触する」及び「プリント基板」に相当する。
　
２　引用発明のシート状の圧電素子は上下両面にそれぞれ電極が形成されたものであり、本願発明の圧電アクチュエータは圧電シートの表面に電極が形成されたものであるので、引用発明の「圧電素子」と本願発明の「圧電アクチュエータ」とは、「圧電シート」 を含む点で一致する。
　
３　引用発明の「合成樹脂からなるベースフィルム」は、「一方の面に凸部が他方の面の前記凸部に対向する位置に凹部が圧電素子毎に形成され」ており、「圧電素子」は「上下両面にそれぞれ電極」が形成されていることから、引用発明の「『合成樹脂からなるベースフィルム』の『一方の面に凸部が他方の面の前記凸部に対向する位置に凹部』」と本願発明の「『絶縁性のフレキシブル層』の『一方の面に凸部が他方の面の前記凸部に対向する位置に凹部』」とは、電極毎に形成されている点で一致する。
　
４　引用発明の「固定部材」によって「端子の凸部は大きな圧力で圧電素子に圧接するため、接続の信頼性が高」くなっていること、「端子は、」「ベースフィルムの凸部上に形成された導電パターンとを含んで」いること及び「圧電素子」は「上下両面にそれぞれ電極」が形成されていることから、引用発明の「固定部材」と本願発明の「接着剤」とは、導電膜と電極の接触状態を保持する保持部材である点で一致する。
　
５　引用発明の「インクジェットプリンタヘッド」、「圧電素子」、「フレキシブルプリント基板」及び「固定部材」は、本願発明の「インクジェットヘッド」が「圧電アクチュエータ」、「プリント基板」及び「接着剤」とを備えたものであるので、引用発明の「インクジェットプリンタヘッド」、「圧電素子」、「フレキシブルプリント基板」及び「固定部材」が本願発明の
「インクジェットヘッド」に相当する。
　
６　上記１ないし５からみて、本願発明のインクジェットヘッドと引用発明のインクジェットプリンタに設けられた「インクジェットプリンタヘッド」、「圧電素子」、「フレキシブルプリント基板」及び「固定部材」とは、
「圧力室からノズルを経てインクを吐出させる圧電シートと、前記圧電シートの表面に前記圧力室毎に形成された電極とを含む圧電アクチュエータと、一方の面に凸部が他方の面の前記凸部に対向する位置に凹部が前記電極毎にそれぞれ形成された絶縁性のフレキシブル層と、前記凸部に沿って突出した突出部を有し前記凸部上にそれぞれ形成された導電膜とを含んでいると共に、前記突出部が前記電極に接触するように配置されたプリント基板と、前記導電膜と前記電極の接触状態を保持する保持部材とを備えたインクジェットヘッド。」である点で一致し、次の相違点１及び２で相違する。
　
相違点１：
　本願発明においては、「複数の圧力室」に対応する「圧電シート」及び「圧電アクチュエータ」であるのに対して、引用発明においては、「加圧室」にそれぞれ対応する「圧電素子」である点。
　
相違点２：
　本願発明においては、保持部材は「前記突出部と前記電極との接触部分を取り囲んでおり、且つ、前記導電膜及び前記電極の両方と接触して両者の接触状態を保持する接着剤」であり、「前記接着剤は、少なくとも一部の前記突出部及び前記凸部が前記電極に対して押しつぶされた状態を保持している」のに対し、引用発明の保持部材は「固定部材」であり、「複数の端子は、固定部材により上記電極面に押圧され、前記端子の凸部は大きな圧力で圧電素子に圧接する」ものである点。
　
第４　判断
　上記相違点１及び２について検討する。
１　相違点１について
（１）インクジェットヘッドの技術分野において、複数の圧力室に対応する圧電シート及び圧電アクチュエータを備えることは、本願出願前に周知である（例．特開２００２−１２７４２０号公報（請求項１、【００４０】及び図９参照。）、特開２０００−９４６７３号公報（【００３０】及び図４参照。）、特開２０００−１０８３４４号公報（【００３２】及び図４参照。）、以下「周知技術１」という。）。
　
（２）引用発明は、複数の加圧室を備えるものであるので、引用発明に周知技術１を採用し、複数の加圧室に対応する圧電素子となすことは、当業者が容易に想到することにすぎない。
　
（３）上記（２）の「複数の加圧室に対応する圧電素子」とすることは、本願発明の「複数の圧力室」に対応する「圧電シート」及び「圧電アクチュエータ」であるから、引用発明において、上記相違点１に係る本願発明の構成となすことは、当業者が、周知技術１に基づいて容易になし得た程度のことである。
　
２　相違点２について
（１）プリント基板に形成された導電膜と圧電シートの電極との接触部分を取り囲んでおり、且つプリント基板に形成された導電膜及び圧電シートの電極の両方と接触して両者の接触状態を保持する接着剤は、本願出願前に周知である（例．特開平８−１５６２５２号公報（【００２３】及び図２参照。）、特開平１０−３１５４８５号公報（【０００７】、図５及び図６参照。）、上記特開２０００−１０８３４４号公報（【００４３】及び図３参照。）、以下「周知技術２」という。）。
　
（２）そして、引用発明は、電極面と圧電素子の接続の信頼性を高めることを考慮していることから、引用発明の固定部材による端子と電極面の保持に換えて、上記周知技術２を採用し、端子の凸部と電極との接触部分を取り囲んでおり、且つ導電シート及び電極の両方と接触して両者の接触状態を保持する接着剤とすることは当業者が容易に想到することにすぎない。
　
（３）また、引用発明は、固定部材により複数の端子は電極面に押圧され、端子の凸部は大きな圧力で圧電素子に圧接されていることから、端子の凸部は電極に対してある程度は押しつぶされた状態となり保持されているものと認められる。してみれば、上記（２）で検討したように保持部材として上記接着剤を採用した場合も端子の凸部が電極に対して押しつぶされた状態となり保持されるようになすことは、当業者が容易に想到することにすぎない。
　
（４）上記（２）及び（３）からみて、引用発明おいて「端子の凸部と電極との接触部分を取り囲んでおり、且つ、導電シート及び電極の両方と接触して両者の接触状態を保持する接着剤とし、接着剤は端子の凸部が電極に対して押しつぶされた状態を保持している」こととすることは、当業者が周知技術２に基づいて容易になし得た程度のことである。
　
（５）よって、上記（４）の「端子の凸部と電極との接触部分を取り囲んでおり、且つ、導電シート及び電極の両方と接触して両者の接触状態を保持する接着剤とし、接着剤は端子の凸部が電極に対して押しつぶされた状態を保持している」ことは、本願発明の「前記突出部と前記電極との接触部分を取り囲んでおり、且つ、前記導電膜及び前記電極の両方と接触して両者の接触状態を保持する接着剤とを備えており、前記接着剤は、少なくとも一部の前記突出部及び前記凸部が前記電極に対して押しつぶされた状態を保持していること」に相当するから、引用発明において、上記相違点２に係る本願発明の構成となすことは、当業者が周知技術２に基づいて容易になし得た程度のことである。
　
３　効果について
　本願発明の奏する効果は、引用発明、周知技術１及び周知技術２の奏する効果から当業者が予測することができた程度のものである。
　
４　まとめ
　したがって、本願発明は、当業者が引用発明、周知技術１及び周知技術２に基づいて容易に発明をすることができたものである。
　
第５　むすび 
　以上のとおり、本願発明は、当業者が引用例に記載された発明及び周知技術に基づいて容易に発明をすることができたものであるから、特許法第２９条第２項の規定により特許を受けることができないものであり、他の請求項に係る発明を検討するまでもなく、本願は、拒絶されるべきものである。 
　よって、結論のとおり審決する。